(57)【要約】【課題】  はがき本体の秘匿情報を完全に隠蔽保護するとともに、配送経路途上で開封された履歴があるか否かを、目視で簡単明瞭に確認することができる、隠蔽シール付きはがきを提供する。【解決手段】  はがき本体と折り返し用のミシン線で連続し、はがき本体の秘匿情報記載面を隠蔽する目的で配置された隠蔽シールの任意に設定された領域に、剥離可能で再貼付不可能な領域と、剥離可能で再貼付可能な領域を配置し、はがき本体の秘匿情報記載面を隠蔽保護した隠蔽シールを剥がすと、再貼付不可能な領域が形成されるとともに、紫外線硬化型樹脂膜に表面層を被われた印刷文字が開封履歴を表示する。【選択図】図１
2010042649.tif 000002
【特許請求の範囲】
【請求項１】
はがき本体と隠蔽シールとが折り返し用のミシン線で連接して一体成型され、隠蔽シールの任意に設定された範囲に、剥離可能で再貼付可能な領域と剥離可能で再貼付不可能な領域の双方が配置され、はがき本体の秘匿情報記載面を隠蔽するために貼り合わされた隠蔽シールを剥がした場合、再貼付不可能な領域に印刷された開封履歴を表示する文字が秘匿情報記載面に転写されることを特徴とした隠蔽シール付きはがき。
【請求項２】
請求項１に記載された隠蔽シールの剥離可能で再貼付可能な領域には再剥離粘着剤、剥離可能で再貼付不可能な領域には強粘着剤が塗布され、さらに再貼付不可能な領域に透明な樹脂膜を形成する紫外線硬化型樹脂が塗布され、強粘着剤と紫外線硬化型樹脂の層間に開封履歴を表示する文字を印刷することで、はがき本体の秘匿情報記載面を隠蔽するために貼り合わされた隠蔽シールを剥がした場合、秘匿情報記載面には、強粘着剤と紫外線硬化型樹脂の層間に印刷された開封履歴を表示する文字が転写されることを特徴とする請求項１記載の隠蔽シール付きはがき。
【発明の詳細な説明】
【技術分野】
【０００１】  本発明は、再貼付可能な領域と再貼付不可能な領域が配置され、印刷文字により開封履歴が表示される隠蔽シール付きはがきに関する。
【背景の技術】
【０００２】  従来の隠蔽シール付きはがきは、はがき本体と一体成型となった再貼付可能な領域のみを配置する隠蔽シール付きはがきや、隠蔽シールの一部にライン状の強粘着剤を配置して剥離不能な領域を形成させ、隠蔽シールを剥がす場合には、強粘着剤が配置された領域に隣接加工されたカット線、ハーフカット線またはミシン線より切り離して、強粘着剤で剥離不能となった隠蔽シールの一部領域をはがき本体に付着残存させる方法や、強粘着剤で剥離不能となった隠蔽シールの一部領域を破紙させることではがき本体に付着残存させる方法により開封履歴を表示するものが使用されている。また、秘匿情報を保護する目的で、はがきと本体とは一体成型されていない別配置の、再貼付可能または再貼付不可能の隠蔽シールを使用する場合もある。
【特許文献１】  特開平７−１７１６５号公報
【特許文献２】  特開２００５−３０５９５６号公報
【特許文献３】  特開２００７−２１０１８１号公報
【発明の開示】
【発明が解決しようとする課題】
【０００３】  以上に述べた従来のはがき本体と一体成型された隠蔽シール付きはがきによれば、再貼付可能な隠蔽シール付きはがきでは、配送経路途上で第三者により秘匿情報が開封閲覧された場合その事実が把握できない。また隠蔽シールの一部をはがき本体に付着残存させる隠蔽シール付きはがきでは、開封履歴の簡単明瞭な確認ができず、はがきに記載された情報を自動読取装置により機械管理を実施する際に不具合が発生する可能性がある。また、はがき本体と別配置された隠蔽シールを使用する場合は、差出入による隠蔽シール貼り忘れの事実が散見されており、製品コストが高いという問題もある。【０００４】  本発明は、このような従来の隠蔽シール付きはがきが有していた問題を解決しようとするものであり、はがき本体と一体成型された隠蔽シールに再貼付可能な領域と再貼付不可能な領域を形成し、かつ、印刷文字により開封履歴を表示することで、簡単明瞭に開封履歴が確認できること、および利用者による隠蔽シールの貼り忘れを防止し、低コストの隠蔽シール付きはがきを提供することを目的とするものである。
【課題を解決するための手段】
【０００５】  本発明は前項に記載した目的を達成するために、はがき本体と折り返し用のミシン線で連接し、はがき本体の秘匿情報記載面を隠蔽する目的で配置された隠蔽シール上面の任意に設定された領域に、用紙を被着体とした場合には剥離剤を塗布しなくとも被着体の用紙を破壊することなく容易に剥離することが可能な再剥離粘着剤と、用紙を被着体とした場合に剥離剤を塗布しなければ永久接着の状態を形成する強粘着剤との２種類の粘着剤をそれぞれ塗布し、強粘着剤の下には紫外線硬化型乾燥装置によって固体の透明な樹脂膜を形成する紫外線硬化型樹脂と、隠蔽シールから容易に紫外線硬化型樹脂を剥離させるための剥離剤を塗布し、紫外線硬化型樹脂と強粘着剤との層間には開封履歴を表示する文字を印刷した。強粘着剤、再剥離粘着剤を塗布した隠蔽シールに、粘着剤層に接する面に剥離剤を塗布した剥離紙を積層し、隠蔽シール面に塗布された再剥離粘着剤と強粘着剤を保護している。【０００６】  前項に記載したはがき本体の秘匿情報記載面は、前項に記載した隠蔽シールの粘着剤層を保護する剥離紙を剥がし、隠蔽シールを折り返しミシン線を介してはがき本体の秘匿情報記載面に折り重ねることで、完全に隠蔽保護される。【０００７】  前項に記載したはがき本体の秘匿情報記載面を隠蔽保護した隠蔽シールを剥がすと、再貼付不可能な領域が形成されるとともに、秘匿情報記載面に転写され紫外線硬化型樹脂膜に表面層を被われた印刷文字が開封履歴を表示する。
【発明の効果】
【０００８】  上述したように、本発明は、はがき本体と一体成型された隠蔽シールを用いて、はがき本体に記載された秘匿情報を簡単に、かつ十分に隠蔽することが可能で、隠蔽シールを剥がした場合に、再貼付不可能な領域の形成および印刷文字による開封履歴の表示といった従来にない方法により第三者による開封履歴が目視で簡単明瞭に確認でき、なおかつ開封者による開封履歴の修復が容易にできないという秘匿情報保護効果を実現できる。
【発明を実施するための最良の手段】
【０００９】  以下、図面を以って発明の実施の形態を説明する。
【００１０】  図１は本発明による隠蔽シールが一体成型された隠蔽シール付きはがきで、図２は連続した符号１のはがき本体と符号２の隠蔽シール本体、および符号２の隠蔽シール本体に積層された符号Ｐの地紋印刷インキ、符号１１の剥離剤、符号１０の紫外線硬化型樹脂、符号９の開封履歴印刷、符号７の強粘着剤、符号２ａの再剥離粘着剤、符号３ｂのシリコーン剤、符号３の隠蔽シール本体の剥離紙を示す、本発明による隠蔽シール付きはがきの積層断面図である。
【００１１】  はがき本体における符号１ａの秘匿情報記載面は、符号３の剥離紙用紙を剥がし、符号５の折り返し用ミシン線で折り返して、符号２の隠蔽シール本体と剥離可能に密着させ貼り合せることで、記載された秘匿情報を完全に隠蔽保護することができる。
【００１２】  図３は、前項により符号１ａのはがき本体秘匿情報記載面と、符号２の隠蔽シール本体とを貼り合せた状態の層間断面図である。符号２ａの再剥離粘着剤塗布面が再剥離可能領域、符号７の強粘着剤塗布面が再剥離不可能領域を形成している。符号７の強粘着剤塗布面には、符号９の開封履歴印刷と符号１０の紫外線硬化型樹脂が積層して塗布されており、符号２の隠蔽シール本体を剥がした場合に、符号１１の剥離剤にて容易に剥離された領域は紫外線硬化型樹脂膜により被われた状態が形成される。よって、符号２の隠蔽シール本体を剥がして符号１ａの秘匿情報を閲覧し、再度貼り合せようとした場合には、符号１３の再貼付不可能領域は貼り合せ不可能の状態が形成され、かつ符号９の開封履歴の印刷文字が符号１ａの秘匿情報記載面に表示されることで、簡単明瞭に目視で開封履歴を確認できる。また、符号９の開封履歴の印刷文字の表面層は紫外線硬化型樹脂膜で被われているため、開封者による開封履歴の修復が容易にできない。
【００１３】  図４は、前項により符号１ａの秘匿情報記載面から符号２の隠蔽シール本体を剥がして、符号５の折り返し用ミシン線から切り離した状態を示したものである。符号１２の再貼付可能領域と符号１３の再貼付不可能領域が形成され、符号１３の再貼付不可能領域には符号１０の紫外線硬化型樹脂膜で被われた符号９の開封履歴印刷文字が表示される。符号１２の再貼付可能な領域と符号１３の再貼付不可能な領域の範囲、および開封履歴を表示する印刷文字は任意に設定することが可能である。
【００１４】  図５は、前項により符号１ａの秘匿情報記載面から符号２の隠蔽シール本体を剥がした状態の積層断面図である。符号１ａの秘匿情報記載面の符号７の強粘着剤は符号１０の紫外線硬化型樹脂膜により被われており、符号１ａの秘匿情報記載面の表面に粘着は残余しない。また符合２ａの再剥離粘着剤は符号２の隠蔽シール本体に付着した状態で切り離されるため、符号１ａの秘匿情報記載面の表面に粘着は残余しない。よって、符号２の隠蔽シール本体を剥がしたのち、符号１ａの秘匿情報記載面には一切粘着が残余せず、はがき本体を管理保管する場合に、複数のはがき本体を重ね合わせたとしても、はがき本体同士が付着することはない。
【図面の簡単な説明】
【００１５】
【図１】全体構成図
【図２】図１に関するはがき本体と隠蔽シールの積層断面図
【図３】隠蔽シールをはがき本体の秘匿情報記載面に貼り合わせた状態の層間断面図
【図４】隠蔽シールを剥がした状態の説明図
【図５】隠蔽シールを剥がした場合の積層断面図
【符号の説明】
１  ・・２と連続した単一の用紙（はがき本体）
１ａ・・秘匿情報記載面
１ｂ・・宛先記載面
２  ・・１と連続した単一の用紙（隠蔽シール本体）
２ａ・・微粘着剤
２ｂ・・情報記載面
３  ・・隠蔽シール本体の剥離紙用紙
３ａ・・秘匿情報記入例、隠蔽シール使用方法等の記載面
３ｂ・・シリコーン剤（粘着剤面から剥離）
５  ・・折り込み用ミシン線
７  ・・強粘着剤
９  ・・開封履歴印刷
１０・・紫外線硬化型樹脂
１１・・剥離剤（紫外線硬化型樹脂面から剥離）
１２・・再剥離可能領域
１３・・再剥離不可能領域
Ｐ  ・・地紋印刷インキ（秘匿情報隠蔽用）
【図１】
2010042649.tif 000003
【図２】
2010042649.tif 000004
【図３】
2010042649.tif 000005
【図４】
2010042649.tif 000006
【図５】
2010042649.tif 000007